(57)【特許請求の範囲】
【請求項１】
ハウジング（２）、光源（３）、およびヘッド（５）内に配置された付属レンズ（４）を有する懐中電灯であって、ヘッドが光源（３）に対して長手軸方向にスライド可能である前記懐中電灯であって、
この懐中電灯が、ヘッド（５）とハウジング（２）の間に配置されたニ部品の接続要素（６）を有し、その一方の部品（４２）および他方の部品（４１）が、互いに長手軸方向にスライド可能かつ紛失に対して安全に固定されており、接続要素（６）の一方の部品（４２）がヘッド（５）と接続され、そして他方の部品（４１）がハウジング（２）と接続されており、一方の部品（４２）および他方の部品（４１）が、シリンダー状に形成され、各一つのねじ部分（７’、７”）を有し、ヘッドとハウジングが対応するねじ部分（７）を有する前記懐中電灯において、
一方の部品（４２）が少なくとも一つの長手軸方向に突き出たスライドレール（４３）を有し、このレールが、他方の部品（４１）に形成されたスライド面（４５）と接しており、このスライド面が、一方の部品（４２）のねじ部分を少なくとも部分的に中断しており、紛失に対して安全な接続のために、スライド面（４５）が、ストッパ（４６）を有し、およびスライドレール（４３）が、広がったヘッド部品（４４）を有することを特徴とする前記懐中電灯
。
【請求項２】
スライドレール（４３）が、シリンダー状に形成されるか、または部分シリンダー状に形成されることを特徴とする請求項１に記載の懐中電灯。
【請求項３】
スライド面（４５）が、他方の部品（４１）の外面または内面上に設けられていることを特徴とする請求項１または２に記載の懐中電灯。
【請求項４】
接続要素（６）が、プラスチック射出形成部品であるか、または金属から製造されていることを特徴とする請求項１から３のいずれか一項に記載の懐中電灯。
【請求項５】
光源（３）が、ＬＥＤであり、これが、プレート状のホルダー（８）に設けられていることを特徴とする請求項１から４のいずれか一項に記載の懐中電灯。
【請求項６】
ホルダー（８）が、裏側に円形状またはリング状の電気接触面を有することを特徴とする請求項５に記載の懐中電灯。
【請求項７】
ホルダー（８）が、裏側にリング状の接触面を有し、この接触面が、熱伝導性の良い材質からなり、そしてハウジング（２）と接していることを特徴とする請求項５または６に記載の懐中電灯。
【発明の詳細な説明】
【技術分野】
【０００１】
本発明は、ハウジング、光源、およびヘッド内に設けられた付属レンズを有する懐中電灯であり、ヘッドが光源に対して長手軸方向でスライド可能なものに関する。
【背景技術】
【０００２】
冒頭に記載した形式の焦点合わせ可能な懐中電灯は、基本的に先行技術において公知である。例えば特許文献１には、正面に設けられた集約レンズ、光源および集約レンズと光源の間に設けられた、部分的に光透過性のピクチャーキャリアを有する懐中電灯が記載されている。ピクチャーの投影を可能とするために、ピクチャーキャリアは、長手軸方向で可動なスライドシェル中に設けられ、その長手軸方向のスライドによって、光源の集約レンズに対する間隔も、集約レンズに対するピクチャーキャリアの間隔も変更が可能である。ピクチャーキャリアのスライド可能な支承のために、ヘッドおよびハウジングのほかに、少なくとも三つの更なる接続要素が設けられる、つまりアダプター、ガイドシェルおよびスライドシェルが設けられるので、懐中電灯の、特に組立てが比較的高価となる。
【０００３】
その上さらに、放出する光の焦点合わせのために、ヘッドがその中に支承される反射体と、そしてハウジングが光源と、ねじ接続部を介して接続されるので、反射体と光源が、回転動作によって互いに相対的にスライドされることができる懐中電灯が公知である。しかしながらこの実施形は、焦点合わせのために常に両手を必要とするという欠点を有している。その際、一方の手でハウジングを保持し、そして他方の手でヘッドを回転させるか、またはその逆を行う。
【先行技術文献】
【特許文献】
【０００４】
【特許文献１】独国実用新案第２０３０８７３９号明明細書
【発明の概要】
【発明が解決しようとする課題】
【０００５】
よって、本発明の課題は、片方の手で焦点合わせすることができ、そしてその組立てのために少数の接続要素のみが必要とされる、焦点合わせ可能な懐中電灯を完成させることである。
【課題を解決するための手段】
【０００６】
この課題は、ヘッドとハウジングの間にニ部品の接続要素が設けられ、その部品が、互いに長手軸方向にスライド可能かつ紛失に対して安全に固定されており、接続要素の一方の部品がヘッドと接続され、そして他方の部品がハウジングと接続されている請求項１に記載の懐中電灯によって解決される。これによって、容易に製造できかつ操作できる、焦点合わせ可能な懐中電灯の、特に小型な構造が達成される。使用される部品の少ない部品点数に基づいて組立てコストもまた減少する。
【０００７】
本発明のさらなる有利な実施形は、以下に、および下位の請求項に記載される。
【０００８】
第一の実施形によると、部品が、シリンダー状に形成され、各一つのねじ部分を有し、ヘッドとハウジングが対応するねじ部分を有することが意図されている。これに対する代替として、部品が、バヨネット接続または他の解除可能な接続、例えばノッチ接続を介して、ハウジングまたはヘッドと接続されることもまた可能である。もちろん、ねじ接続は、簡単な製造可能性と組立可能性のために好ましい。
【０００９】
ヘッドがハウジングに対してスライド可能であるように、一方の部品が少なくとも一つの長手軸方向に突き出たスライドレール（Gleitschiene）を有し、このレールが、他方の部品に形成されたスライド面（Gleitflaeche）と接している。好ましくは、スライドレールはシリンダー状に形成されるか、または部分シリンダー状に形成される。シリンダー状のスライドレールを有する一つの実施形においては、他方の部品は、リング状に形成され、その際、リング状の部品とスライド面の間にガイド要素が設けられるので、リング状の部品の回転動作が回避される。部分シリンダー状のスライドレールを有する一つの実施形においては、これは好ましくは同じ角度で間隔をあけている。懐中電灯の大きさに応じて、スライドレールの数は変更されることがあり、その際、三つのスライドレールと対応して三つのスライド面が好ましい。
【００１０】
ヘッドが、焦点合わせの際に、不意にハウジングから外れてしまわないように、好ましくは、部品の、紛失に対して安全な接続が意図されている。このため、スライド面は、ストッパを有し、スライドレールは、広がったヘッドを有する。このため、部品のお互いの相対動作が、一方では部品の正面側によって、そして他方ではストッパと広がったヘッドによって制限される。複数のスライドレールを有する一つの実施形では、拡張部は接線方向（tangentialer Richtung）に設けられることができ、リング状のスライドレールを有する一つの実施形では、広がったヘッドはリング状のストッパとして形成されることが可能である。このストッパはリング状の部品の正面と接触する。
【００１１】
好ましくは、スライド面が、部品の外面または内面上に設けられていることが意図されている。特に、リング状のスライドレールにおいては、スライド面が構造に制限されて、内面上に設けられる。そうでない場合には、ねじ部分がスライド面によって少なくとも部分的に中断される。
【００１２】
ヘッドが意図せずハウジングに対してスライドされ、よって光源に対してスライドされるのを防ぐために、好ましくはガイド要素が設けられ、部品の相対動作が、ある力に対してのみ実施されることができる。最も簡単な場合には、ガイド要素は、ゴム製または他の弾性材料からなるＯリングであり、これが、一方ではハウジングを取り巻き、他方では、ヘッドとＯリングの間に大きな摩擦が生じるよう設計されるので、ヘッドは、望まれるスライドのみを行うことができる。このようなガイド要素は、安価に製造可能であるし、消耗した場合、簡単に交換可能である。さらにガイド要素は、シールとして機能するので、ほこりの形式の汚染が、ヘッド内に侵入することが出来ない。
【００１３】
接続要素は、好ましくは、プラスチック射出形成部品であるか、または金属、好ましくは、アルミニウムから製造されている。
【００１４】
本発明の別の実施形では、光源がＬＥＤであり、これが、プレート状のホルダーに設けられていることが意図されている。
【００１５】
このホルダーは、好ましくは、裏側に円形状及び／又はリング状で同軸に配置される電気接触面を有しており、この接触面が、対応する電池または充電池の電気的接触と接続される。さらにホルダーは、裏側にリング状の接触面を有し、この接触面が、熱伝導性の良い材質からなり、そしてハウジングと接している。これによって、光源内に発生する熱が、ハウジングに放出され、これは特に光源の耐久性を高める。材料としては特にアルミニウム、真鍮または銅が適している。
【００１６】
本発明の具体的な実施形、および、さらなる有利な実施形を以下に図面に基づき説明する。
【図面の簡単な説明】
【００１７】
【図１】ハウジングおよびヘッドを有する懐中電灯の分解図
【図２】組立てられた状態の懐中電灯の図
【図３】ハウジングとこれに設けられた接続要素の図
【図４】接続要素の斜視図
【発明を実施するための形態】
【００１８】
懐中電灯１は、基本的に、ハウジング２、光源３、付属レンズ４およびヘッド５並びに接続要素６を有している。この接続要素は一方ではハウジング２と他方ではヘッド５と接続されている（図２）。図示されている場合では、このためにねじ部分７、７’、７”が設けられている。
【００１９】
光源３は、一つの具体的な実施形によると、ディスク状のホルダー８の上に設けられており、このホルダーは、ソケット状のストッパにハウジング２内で載置されている。組み立てられた状態では、ホルダー８は接続要素６によってソケット状のストッパに押圧されており、これによって形状結合的に固定されている。ホルダ−８の下側には、（図示されていない）電気接触部と熱伝導性の面が設けられている。ホルダー８の他方の側には、付属レンズ４が長手軸方向にスライド可能に設けられており、その際、間隔は無段階に、図１と２に図示された例の間で調整可能である。図１では、付属レンズ４はプレート状のホルダー８に載置され、他方、図２ではホルダー８と付属レンズ４は、互いに間隔Ａをあけている。ヘッド５と付属レンズ４の意図されないスライドを回避するために、Ｏリング９がガイドとして設けられている。このＯリングは、組み立てられた状態ではハウジング２およびヘッド５と接している。  
【００２０】
図４では、接続要素６が詳細に図示されている。その際これは二つの部品４１，４２を有しており、これらが互いに矢印方向４７で長手軸方向にスライド可能であり、かつ紛失に対して安全に固定されている。このため部品４１は三つのスライドレール４３，４３’，４３”と一つの広がったヘッド部品４４を有している。他方の部品４２は、このため、対応するスライド面４５，４５’，４５”を有しており、これらにストッパ４６が形成されている。スライドレール４３，４３’，４３”とスライド面４５，４５’，４５”は、部品４１，４２が互いにスライドされたとき、広がったヘッド部品４４とストッパ４６が接触するよう設計されている。
【符号の説明】
【００２１】
１    懐中電灯
２    ハウジング
３    光源
４    付属レンズ
４３，４３’，４３”  スライドレール
４５，４５’，４５”  スライド面
５    ヘッド
６    接続要素
７    ねじ部分
８    ホルダー
９    Ｏ−リング
【図１】
0005607570.tif 000002
【図２】
0005607570.tif 000003
【図３】
0005607570.tif 000004
【図４】
0005607570.tif 000005